(57)【要約】【課題】  DVD−VRフォーマットに準拠した記録方式によって記録媒体へのコンテンツの記録を行う記録再生装置等であって、コンテンツ中のタイトルごとに視聴制限をさせることが可能な再生装置若しくは記録再生装置又はこれらを備えた電子装置の提供。【解決手段】  ＤＶＤ−ＶＲ規格に準拠した記録方式によって記録されたコンテンツのタイトルに対して再生などの操作要求があった場合に、TXTDT_MGのテーブル内の操作要求のあったタイトルに対応するIT_TXT領域内にパスワードが設定されているか否かを調べ（ステップ４０１〜４０５）、パスワードがある場合にはパスワードの入力を求め（ステップ４０７〜４１１）、これらを比較し（ステップ４１０）、正しい場合若しくはパスワードが設定されてない場合には操作の許可を行い（ステップ４１３）、正しくない場合には操作の許可をしない（ステップ４１２）ことで、タイトル別視聴制限を行う。【選択図】  図５
2006066043.tif 000002
【特許請求の範囲】
【請求項１】
DVD  Video  Recordingフォーマットに準拠した記録方式によって記録媒体へのコンテンツの記録を行う記録装置若しくは記録再生装置であって、コンテンツの録画若しくはコンテンツの編集等により作成された新しいタイトル又は既存のタイトルに対するパスワードの設定・変更要求があった際には、当該タイトルごとに対応させる前記パスワードの入力を求め、前記タイトルとの対応付けが可能となるように当該パスワードのテーブルをDVD  Video  RecordingフォーマットのVR_MANGR.IFOファイル内に構成させることを特徴とするタイトル別視聴制限可能な記録装置若しくは記録再生装置又はこれらを備えた電子装置。
【請求項２】
前記パスワードを、前記VR_MANGR.IFOファイル内のTXTDT_MGのテーブル内のIT_TXT領域内に格納することによって、当該パスワードと前記タイトルとの対応付けを可能とさせたことを特徴とする請求項１記載のタイトル別視聴制限可能な記録装置若しくは記録再生装置又はこれらを備えた電子装置。
【請求項３】
前記TXTDT_MGのテーブル内のIT_TXT_SRP領域内に設定される前記IT_TXTのアドレスを示すポインタ情報を無効にしたことを特徴とする請求項２記載のタイトル別視聴制限可能な記録装置若しくは記録再生装置又はこれらを備えた電子装置。
【請求項４】
DVD  Video  Recordingフォーマットに準拠した記録方式によってコンテンツの記録が行われた記録媒体であって、コンテンツ内の各タイトルごとに対応付けられたパスワードが、VR_MANGR.IFOファイル内のTXTDT_MGのテーブル内のIT_TXT領域内に格納されていることを特徴とするタイトル別視聴制限可能な記録媒体。
【請求項５】
DVD  Video  Recordingフォーマットに準拠した記録方式によって記録媒体に記録されたコンテンツの再生を行う再生装置若しくは記録再生装置であって、コンテンツ内の各タイトルごとに対応付けられたパスワードがVR_MANGR.IFOファイル内のTXTDT_MGのテーブル内のIT_TXT領域内に格納されている記録媒体に記録されたタイトルに対する再生若しくは編集などの要求があった場合には、パスワードの入力を求め、当該パスワードと、前記記録媒体に記録されている再生若しくは編集などの要求があったタイトルに対応するパスワードと、を比較し、これにより当該タイトルの再生若しくは編集などの操作に対する許可・不許可をすることを特徴とするタイトル別視聴制限可能な再生装置若しくは記録再生装置又はこれらを備えた電子装置。
【請求項６】
DVD  Video  Recordingフォーマットに準拠した記録方式によって記録媒体に記録されたコンテンツ内の各タイトルに対してパスワードを設定するタイトル別パスワード設定方法であって、VR_MANGR.IFOファイル内のTXTDT_MGのテーブル内のIT_TXT領域内に前記パスワードを格納することにより、前記タイトルごとのパスワード設定を可能としたことを特徴とするタイトル別パスワード設定方法。
【請求項７】
DVD  Video  Recordingフォーマットに準拠した記録方式によって記録媒体に記録されたコンテンツ内の各タイトルに対する再生や編集等の操作要求があった場合の、タイトル別操作許可方法であって、VR_MANGR.IFOファイル内のTXTDT_MGのテーブル内の前記操作要求のあったタイトルに対応するIT_TXT領域内の情報をパスワードとして扱い、前記タイトルに対する操作要求があった場合には、前記パスワードの入力を求め、当該入力結果に応じて、前記操作要求に対して許可・不許可を行うことを特徴とするタイトル別操作許可方法。
【請求項８】
DVD  Video  Recordingフォーマットに準拠した記録方式によって記録媒体にコンテンツの記録を行う記録装置若しくは記録再生装置又はこれらを備えた電子装置に備えられるマイコンに、コンテンツの録画若しくはコンテンツの編集等により作成された新しいタイトル又は既存のタイトルに対する新しいパスワードの設定・変更要求があった際に、TXTDT_MGのテーブルがあるかどうかを検索しこれが無い場合はTXTDT_MGを作成する手順と、前記TXTDT_MGのテーブル内のIT_TXT領域内に前記タイトルに対応づけられたパスワードが既にあるか否かを検索する手順と、前記既存のパスワードがあった場合には当該既存のパスワードの入力を求め、これに対し正しいパスワードの入力があった場合には、前記新しいパスワードの入力を求め、これをTXTDT_MGのテーブル内のIT_TXT領域内に前記タイトルと対応付けて格納する手順と、前記既存のパスワードがなかった場合には前記新しいパスワードの入力を求め、これをTXTDT_MGのテーブル内のIT_TXT領域内に前記タイトルと対応付けて格納する手順と、を実行させるためのタイトル別パスワード設定プログラム。
【請求項９】
DVD  Video  Recordingフォーマットに準拠した記録方式によって記録媒体に記録されたコンテンツの再生を行う再生装置若しくは記録再生装置又はこれらを備えた電子装置に備えられるマイコンに、DVD  Video  Recordingフォーマットに準拠した記録が行われた記録媒体に記録されたタイトルに対する再生若しくは編集などの操作要求があった際に、TXTDT_MGのテーブルがあるかどうかを検索する手順と、TXTDT_MGのテーブル内のIT_TXT領域内に前記タイトルに対応づけられたパスワードがあるか否かを検索する手順と、当該タイトルに対応づけられたパスワードがあった場合にユーザにパスワードの入力を求める手順と、前記タイトルに対応づけられたパスワードと前記入力されたパスワードとを比較する手順と、この比較結果により前記タイトルの再生若しくは編集などの操作要求に対する許可・不許可をする手順と、を実行させるためのタイトル別操作許可制御プログラム。
【発明の詳細な説明】
【技術分野】
【０００１】
本発明は、DVD  Video  Recordingフォーマットに準拠した記録方式を用いる再生装置若しくは記録再生装置等に関するものであり、特に、各タイトルごとに視聴制限させることを可能とする再生装置若しくは記録再生装置等に関する。
【背景技術】
【０００２】
近年ＤＶＤ（Ｄｉｇｉｔａｌ  Ｖｅｒｓａｔｉｌｅ  Ｄｉｓｃ）の普及が急速に進んでいる。ＤＶＤへの情報の記録方式は、３層のフォーマットの組み合わせによって行われており、このうちの最上層であるアプリケーションレイヤでのフォーマットには、ＤＶＤ−Ｖｉｄｅｏフォーマット（以下単にビデオフォーマット）、ＤＶＤ  Ｖｉｄｅｏ  Ｒｅｃｏｒｄｉｎｇフォーマット（以下単にＤＶＤ−ＶＲフォーマット）、ＤＶＤ＋ＲＷ  Ｖｉｄｅｏ  Ｒｅｃｏｒｄｉｎｇフォーマット（以下単にＤＶＤ＋ＶＲフォーマット）の３つの規格が存在している。
【０００３】
ＤＶＤには、デジタル化した多種の情報を記録することができ、且つ、ランダムアクセスを行うことができるため、ＤＶＤに記録したコンテンツの再生等において様々な機能を提供でき、種々の情報管理を行うことも可能となっている。このようなコンテンツ再生・編集の制御や情報管理等に関する従来技術であって、上記したアプリケーションレイヤでのフォーマットに関連した従来技術が、特許文献１〜特許文献４などによって開示されている。
【０００４】
【特許文献１】特開２００１−２６８５１０号公報
【特許文献２】特開２００３−１７８５３６号公報
【特許文献３】特開２００３−１３２６２４号公報
【特許文献４】特開２００４−３０７９９号公報
【発明の開示】
【発明が解決しようとする課題】
【０００５】
ビデオフォーマットでは、タイトルごとにパレンタル情報を設定することが可能であり、これを利用してタイトルごとの視聴制限を行うことも可能であるが、コンテンツの編集などを行うことを前提としている規格ではないため、タイトルの追記や分割などをすることができない。一方、ＤＶＤ−ＶＲフォーマット及びＤＶＤ＋ＶＲフォーマットはコンテンツの追記・書き換え・部分消去などの編集に対応したものとなっており、このうち、ＤＶＤ−ＶＲフォーマットは、ＤＶＤフォーラムで策定された規格であり、記録したデータを任意の位置で分割でき、これにより、記録したコンテンツの多彩な編集が可能となっている。しかし、ＤＶＤ−ＶＲフォーマット自体の規格上では、タイトルごとの視聴制限を可能とする機能は無いものであった。
【０００６】
本発明は、上記した点に鑑み、DVD  Video  Recordingフォーマットに準拠した記録方式によって記録媒体へのコンテンツの記録を行う再生装置若しくは記録再生装置であって、コンテンツ中のタイトルごとに視聴制限をさせることが可能な再生装置若しくは記録再生装置又はこれらを備えた電子装置を提供することを目的とする。
【課題を解決するための手段】
【０００７】
請求項１記載のタイトル別視聴制限可能な記録装置若しくは記録再生装置又はこれらを備えた電子装置は、DVD  Video  Recordingフォーマットに準拠した記録方式によって記録媒体へのコンテンツの記録を行う記録装置若しくは記録再生装置であって、コンテンツの録画若しくはコンテンツの編集等により作成された新しいタイトル又は既存のタイトルに対するパスワードの設定・変更要求があった際には、当該タイトルごとに対応させる前記パスワードの入力を求め、前記タイトルとの対応付けが可能となるように当該パスワードのテーブルをDVD  Video  RecordingフォーマットのVR_MANGR.IFOファイル内に構成させることを特徴とする。
【０００８】
上記構成によれば、タイトルごとにパスワードの設定がなされ、当該情報がVR_MANGR.IFOファイル内に格納されるため、このような方式によって記録された記録媒体を再生する際に、タイトルごとの視聴制限を行わせることが可能となる。
【０００９】
請求項２記載のタイトル別視聴制限可能な記録装置若しくは記録再生装置又はこれらを備えた電子装置は、請求項１記載のタイトル別視聴制限可能な記録装置若しくは記録再生装置又はこれらを備えた電子装置であって、前記パスワードを、前記VR_MANGR.IFOファイル内のTXTDT_MGのテーブル内のIT_TXT領域内に格納することによって、当該パスワードと前記タイトルとの対応付けを可能とさせたことを特徴とする。
【００１０】
TXTDT_MGは、ＤＶＤ−ＶＲフォーマットにおいてタイトルごとに付加情報（例えば各タイトルのジャンルや入力ソースなど）を記録できるようにしたものであり、規格としてはこれを使用することは任意とされている（使用しなくても動作上全く問題なく、これを使用しない場合はTXTDT_MGのテーブル自体が作成されない）。従って、TXTDT_MGのテーブル内にパスワードを格納してもＤＶＤ−ＶＲフォーマットの規格に反することは無く、且つ、上記のごとく、TXTDT_MGは、タイトルごとに対応させた情報を記録できるような構成となっているため、ここにパスワードを格納することで、タイトルとパスワードとの対応付けをすることが可能となる。
【００１１】
請求項３記載のタイトル別視聴制限可能な記録装置若しくは記録再生装置又はこれらを備えた電子装置は、請求項２記載のタイトル別視聴制限可能な記録装置若しくは記録再生装置又はこれらを備えた電子装置であって、前記TXTDT_MGのテーブル内のIT_TXT_SRP領域内に設定される前記IT_TXTのアドレスを示すポインタ情報を無効にしたことを特徴とする。
【００１２】
上記構成によれば、IT_TXT_SRP領域内のIT_TXTのアドレスを示すポインタ情報が無効とされるため、IT_TXT_SRP領域内のIT_TXTのアドレスを示すポインタ情報によってIT_TXTの情報にアクセスすることができない。
【００１３】
請求項４記載のタイトル別視聴制限可能な記録媒体は、DVD  Video  Recordingフォーマットに準拠した記録方式によってコンテンツの記録が行われた記録媒体であって、コンテンツ内の各タイトルごとに対応付けられたパスワードが、VR_MANGR.IFOファイル内のTXTDT_MGのテーブル内のIT_TXT領域内に格納されていることを特徴とする。
【００１４】
請求項５記載のタイトル別視聴制限可能な再生装置若しくは記録再生装置又はこれらを備えた電子装置は、DVD  Video  Recordingフォーマットに準拠した記録方式によって記録媒体に記録されたコンテンツの再生を行う再生装置若しくは記録再生装置であって、コンテンツ内の各タイトルごとに対応付けられたパスワードがVR_MANGR.IFOファイル内のTXTDT_MGのテーブル内のIT_TXT領域内に格納されている記録媒体に記録されたタイトルに対する再生若しくは編集などの要求があった場合には、パスワードの入力を求め、当該パスワードと、前記記録媒体に記録されている再生若しくは編集などの要求があったタイトルに対応するパスワードと、を比較し、これにより当該タイトルの再生若しくは編集などの操作に対する許可・不許可をすることを特徴とする。
【００１５】
上記構成によれば、各タイトルに対応したパスワードがIT_TXT領域内に格納されている記録媒体に対し、タイトルの再生若しくは編集などの要求があった場合には、パスワードの入力を求め、パスワードの合否によりタイトルの再生若しくは編集などの操作が可・不可とされる。
【００１６】
請求項６記載のタイトル別パスワード設定方法は、DVD  Video  Recordingフォーマットに準拠した記録方式によって記録媒体に記録されたコンテンツ内の各タイトルに対してパスワードを設定するタイトル別パスワード設定方法であって、VR_MANGR.IFOファイル内のTXTDT_MGのテーブル内のIT_TXT領域内に前記パスワードを格納することにより、前記タイトルごとのパスワード設定を可能としたことを特徴とする。
【００１７】
請求項７記載のタイトル別操作許可方法は、DVD  Video  Recordingフォーマットに準拠した記録方式によって記録媒体に記録されたコンテンツ内の各タイトルに対する再生や編集等の操作要求があった場合の、タイトル別操作許可方法であって、VR_MANGR.IFOファイル内のTXTDT_MGのテーブル内の前記操作要求のあったタイトルに対応するIT_TXT領域内の情報をパスワードとして扱い、前記タイトルに対する操作要求があった場合には、前記パスワードの入力を求め、当該入力結果に応じて、前記操作要求に対して許可・不許可を行うことを特徴とする。
【００１８】
請求項８記載のタイトル別パスワード設定プログラムは、DVD  Video  Recordingフォーマットに準拠した記録方式によって記録媒体にコンテンツの記録を行う記録装置若しくは記録再生装置又はこれらを備えた電子装置に備えられるマイコンに、コンテンツの録画若しくはコンテンツの編集等により作成された新しいタイトル又は既存のタイトルに対する新しいパスワードの設定・変更要求があった際に、TXTDT_MGのテーブルがあるかどうかを検索しこれが無い場合はTXTDT_MGを作成する手順と、前記TXTDT_MGのテーブル内のIT_TXT領域内に前記タイトルに対応づけられたパスワードが既にあるか否かを検索する手順と、前記既存のパスワードがあった場合には当該既存のパスワードの入力を求め、これに対し正しいパスワードの入力があった場合には、前記新しいパスワードの入力を求め、これをTXTDT_MGのテーブル内のIT_TXT領域内に前記タイトルと対応付けて格納する手順と、前記既存のパスワードがなかった場合には前記新しいパスワードの入力を求め、これをTXTDT_MGのテーブル内のIT_TXT領域内に前記タイトルと対応付けて格納する手順と、を実行させることを特徴とする。
【００１９】
請求項９記載のタイトル別操作許可制御プログラムは、DVD  Video  Recordingフォーマットに準拠した記録方式によって記録媒体に記録されたコンテンツの再生を行う再生装置若しくは記録再生装置又はこれらを備えた電子装置に備えられるマイコンに、DVD  Video  Recordingフォーマットに準拠した記録が行われた記録媒体に記録されたタイトルに対する再生若しくは編集などの操作要求があった際に、TXTDT_MGのテーブルがあるかどうかを検索する手順と、TXTDT_MGのテーブル内のIT_TXT領域内に前記タイトルに対応づけられたパスワードがあるか否かを検索する手順と、当該タイトルに対応づけられたパスワードがあった場合にユーザにパスワードの入力を求める手順と、前記タイトルに対応づけられたパスワードと前記入力されたパスワードとを比較する手順と、この比較結果により前記タイトルの再生若しくは編集などの操作要求に対する許可・不許可をする手順と、を実行させることを特徴とする。
【発明の効果】
【００２０】
請求項１記載の、DVD  Video  Recordingフォーマットに準拠した記録方式によって記録媒体へのコンテンツの記録を行う記録装置若しくは記録再生装置であって、コンテンツの録画若しくはコンテンツの編集等により作成された新しいタイトル又は既存のタイトルに対するパスワードの設定・変更要求があった際には、当該タイトルごとに対応させる前記パスワードの入力を求め、前記タイトルとの対応付けが可能となるように当該パスワードのテーブルをDVD  Video  RecordingフォーマットのVR_MANGR.IFOファイル内に構成させることを特徴とするタイトル別視聴制限可能な記録装置若しくは記録再生装置又はこれらを備えた電子装置によれば、タイトルごとにパスワードの設定がなされ、当該情報がVR_MANGR.IFOファイル内に格納されるため、タイトルごとの視聴制限（再生や編集などの制限）を行わせることが可能となる。また、パレンタルレベルは８つのレベルしか設定できないのに対し、パスワードは多数設定することができ、より詳細なレベルで管理することができるため、ビデオフォーマットにおけるタイトルごとにパレンタルレベルを設定する方法に比べ、より詳細に視聴制限の管理を行うことが可能となる（例えば、タイトルが５０あるコンテンツに対しユーザも５０人いる場合、８つのレベルしか設定できないパレンタルレベル方式では、１人に１タイトルずつ割り振ることは不可能であるが、タイトルごとにパスワードを設定できれば、各人に対して１タイトルずつのみ視聴可能なようにすることもできるため、一つの記録媒体を複数人で共有しても、自分の作成したタイトルについては他人には見られないようにすることが可能となる）。
【００２１】
請求項２記載の、前記パスワードを、前記VR_MANGR.IFOファイル内のTXTDT_MGのテーブル内のIT_TXT領域内に格納することによって、当該パスワードと前記タイトルとの対応付けを可能とさせたことを特徴とする請求項１記載のタイトル別視聴制限可能な記録装置若しくは記録再生装置又はこれらを備えた電子装置によれば、ＤＶＤ−ＶＲフォーマットの規格に反すること無く、且つ、パスワードとタイトルとの対応付けをさせてVR_MANGR.IFOファイル内に格納することができるため、ＤＶＤ−ＶＲフォーマットの規格に準拠しつつ且つタイトルごとの視聴制限を行うことが可能となる。
【００２２】
請求項３記載の、前記TXTDT_MGのテーブル内のIT_TXT_SRP領域内に設定される前記IT_TXTのアドレスを示すポインタ情報を無効にしたことを特徴とする請求項２記載のタイトル別視聴制限可能な記録装置若しくは記録再生装置又はこれらを備えた電子装置によれば、IT_TXT_SRP領域内のIT_TXTのアドレスを示すポインタ情報によってIT_TXTの情報にアクセスすることができないため、本発明によって記録された記録媒体（例えばDVD）を、本発明に対応しない機器にて読込んだ場合に、誤作動をおこす事が防止される。すなわち、IT_TXTサーチポインタが無効とされている場合には、これを無視してスキップし（IT_TXT領域内の情報を読込まない）、次のIT_TXTサーチポインタを読込む動作を行うため、IT_TXT領域内に格納されたパスワードを読込んでしまうことによる誤作動を防止することができる。
【００２３】
請求項５記載の、DVD  Video  Recordingフォーマットに準拠した記録方式によって記録媒体に記録されたコンテンツの再生を行う再生装置若しくは記録再生装置であって、コンテンツ内の各タイトルごとに対応付けられたパスワードがVR_MANGR.IFOファイル内のTXTDT_MGのテーブル内のIT_TXT領域内に格納されている記録媒体に記録されたタイトルに対する再生若しくは編集などの要求があった場合には、パスワードの入力を求め、当該パスワードと、前記記録媒体に記録されている再生若しくは編集などの要求があったタイトルに対応するパスワードと、を比較し、これにより当該タイトルの再生若しくは編集などの操作に対する許可・不許可をすることを特徴とするタイトル別視聴制限可能な再生装置若しくは記録再生装置又はこれらを備えた電子装置によれば、タイトルに対する再生若しくは編集などの要求があった場合には、パスワードの入力を求め、パスワードの合否によりタイトルの再生若しくは編集などの操作が可・不可とされるため、タイトルごとに視聴制限をすることができる。
【発明を実施するための最良の形態】
【００２４】
以下、本発明の具体的実施例について、図面を参照しながら説明する。なお、以下の実施態様は、本発明を具体化する際の一形態であって、本発明をその範囲内に限定するためのものではない。
【００２５】
図１は本実施例のＤＶＤ記録再生装置内蔵ＬＣＤの本発明に係る部分のみの概略を示すブロック図であり、図２は同ＤＶＤ記録再生装置内蔵ＬＣＤの斜視図、図３・４及び図５は本発明に関する部分の動作の概略を示すフローチャートである、図８〜図１１は、それぞれＤＶＤ記録再生装置内蔵ＬＣＤの動作中の表示画面の一例を示す図である。
【００２６】
図１に示されるように、本実施例のＤＶＤ記録再生装置内蔵ＬＣＤ（以下単にＤＶＤ内蔵ＬＣＤ）１は、光ディスク媒体であるＤＶＤ２３への信号の書込み又はＤＶＤ２３からの信号の読込みをおこなうディスクドライブ１１、表示部１２、チューナ部１３ａ又は外部入出力部１３ｂからの信号を切替えて出力する入力切替部１３、操作部１４ａ又は受光部１４ｂからの信号を判別して出力するキー判別部１４、装置全体の制御を行う制御部１５等を有する。さらに、ＤＶＤ内蔵ＬＣＤ１は、入力切替部１３から入力された映像音声信号をＭＰＥＧ規格に基づいた信号に変換するエンコーダやＤＶＤ−ＶＲフォーマットの規格に準拠した記録データを生成する機能を備える記録制御部１６、ディスクドライブ１１から入力されたデータを伸張するデコーダ等を備える再生制御部１７、入力切替部１３若しくは再生制御部１７等から入力された映像信号を表示部１２へ表示させる処理を行う表示処理部１８、キー判別部１４を介して操作部１４ａ又はリモコン装置２から入力されたパスワードと、ディスクドライブ１１・再生制御部１７を介して入力されるＤＶＤ２３に記録されているパスワードと、を保存・比較するパスワード比較管理部１９などを備える。
【００２７】
図６はＤＶＤ−ＶＲフォーマットのファイル構造を示した図であり、主にＤＶＤ−ＶＲフォーマットの管理情報ファイル（VR_MANGR.IFO）の構造を示した図、図７はIT_TXTの構造を示す図である。VR_MANGR.IFO ファイル内のTXTDT_MGテーブルは、ＤＶＤ−ＶＲフォーマットにおいてタイトル（例えば映画１本分）ごとに付加情報（例えば各タイトルのジャンルや入力ソースなど）を記録できるようにしたものであり、規格としてはこれを使用することは任意とされており、使用しなくても動作上全く問題なく、これを使用しない場合はTXTDT_MGのテーブル自体が作成されない。当該TXTDT_MGが存在しているか否か（データがあるか否か）は、RTR_VMGI内で管理するTXTDT_MGの開始アドレスによって判別される（TXTDT_MGのデータが無い場合には、TXTDT_MGの開始アドレスとして“0”が割り当てられる）。TXTDT_MGのテーブルは、図６に示されるように、TXTDTIとIT_TXT_SRP#1〜IT_TXT_SRP#nとIT_TXT（ｎ個）とで構成される（ｎはタイトル数）。TXTDTIには文字コードセットの指定や、IT_TXT_SRPの数ｎ等が記述される。IT_TXT は図７に示されるように、IDCDとTXT_SZとTXTとによって構成され、TXTDT_MGテーブルを各タイトルへの付加情報として使用する場合には、IDCD にタイトルのジャンル等を示すコードが記述され、TXTにはタイトルに付加する情報（テキスト情報）が記述され、TXT_SZに当該TXTのサイズ（文字数情報）が記述される。IT_TXT_SRPはそれぞれのIT_TXTへのサーチポインタである。従って、例えば、ＤＶＤのコンテンツが３つのタイトルを含んでおり、各タイトルに付加情報が記載される場合には、それぞれのタイトルに対応するIT_TXTが３つ作成され、これらIT_TXTと一対のサーチポインタであるIT_TXT_SRPも３つ（IT_TXT_SRP#1〜IT_TXT_SRP#3）作成されることとなる。なお、当該ＤＶＤ−ＶＲフォーマットのファイル構成は、規格で定められているものであるため、本発明に関する部分以外の説明を省略する。
【００２８】
図３及び図４を参照しつつ、各タイトルに対応するパスワードの設定処理（パスワードテーブルの、ＤＶＤ−ＶＲフォーマットのVR_MANGR.IFOファイル内への構成）について説明する。タイトルに対するパスワードの設定は、タイトルの録画やタイトルの編集（分割など）により新しいタイトルが生成された際にパスワードを設定する場合、若しくは、既存のタイトルに新しくパスワードを設定する場合／パスワードを変更する場合などに行われる。従って、パスワードの設定は、各処理の中（例えば、１番組（入力切替部１３を介してチューナ部１３から入力される映像音声信号）をＤＶＤ２３へ録画した際の管理情報の作成処理動作等）で、「タイトル別パスワード設定・変更処理」（図３・４）が起動されて行われるものである。
【００２９】
タイトル別パスワード設定・変更処理（図３・４）が起動されると、TXTDT_MGテーブルの有無を調べ（ステップ３０１）、TXTDT_MGがある場合にはステップ３０２へ、無い場合にはステップ３１６へと進む。当該TXTDT_MGテーブルの有無は、前述したRTR_VMGIテーブル内の対応する開始アドレスを調べることによって判断され（TXTDT_MGの開始アドレスが“0”の場合はTXTDT_MG無し）、当該判断は、ＤＶＤ２３からディスクドライブ１１と再生制御部１７とによって得られた信号を制御部１５が判断することによって行われる（以下の動作においてＤＶＤ２３から情報を取得して判断する場合も同様の概念である）。TXTDT_MGテーブルが無い場合には、図８aに示されるようなパスワード設定画面を表示して（ステップ３１６）パスワードを取得し（ステップ３１７）、TXTDT_MGテーブルを作成し（ステップ３１８）、タイトルに対応するIT_TXT_SRPに“0000h”（サーチポインタ無効を意味する）が記述される（ステップ３１９）。さらにタイトルに対応するIT_TXT内のIDCDに“90h”を記載し、TXTにステップ３１７で得られたパスワードを記載し、TXT_SZに当該TXTのサイズ（パスワードの桁数。ユーザがパスワードを全く入力せずに「決定」させた場合には、TXT_SZに0が記載される）を記載し（ステップ３１４）、図８ｂに示されるようなパスワード設定終了画面を表示して（ステップ３１５）処理を終了する。なお、パスワードの取得動作は、表示画面に従ってユーザがリモコン装置２や操作部１４ａを操作することで、キー判別部１４・制御部１５・パスワード比較管理部１９によって取得される。以下の動作説明中の各パスワード取得動作においても同様である。また、タイトルに対応するIT_TXT内のIDCDに“90h”を記載するものとしている（ステップ３１４）が、“90h”はＤＶＤ−ＶＲの規格で定められたコードで「その他」を意味するものであり、本実施例でこのようにしているのは、規格通りの記述を優先したためであり、本発明の動作においてIDCDの記載をこのようにする必要性は必ずしもなく、これ以外の記載となってもよい。
【００３０】
「タイトルに対応する」とは、本「タイトル別パスワード設定・変更処理」を呼び出した他の処理中において特定される（作業中の）タイトルであり、例えば、タイトル１・タイトル２の２つを有するＤＶＤのタイトル２を分割したことによりタイトル３が作成され、これに対して新しくパスワードを設定しようとした場合には、編集・分割処理中において「タイトル３」が特定されており、「タイトルに対応した」とはタイトル３に対応するIT_TXTや、IT_TXT_SRP#3を意味する（なお、タイトル３に対応するIT_TXT やIT_TXT_SRP#3は分割作業の際自動的に作成される）。これらの「タイトルに対応するIT_TXTやIT_TXT_SRP」の具体的アドレス（論理アドレス）の求め方は（図６・図７参照）、IT_TXT_SRPの場合、UD_PGCITの終了アドレス（UD_PGCIT_EA）がUD_PGCITに記録されており（これによりUD_PGCIT_EA+1でTXTDT_MGの先頭アドレスが求められる）且つTXIDTI（８バイト）とIT_TXT_SRP（４バイト）のサイズが固定サイズであるため、例えばｘ番目のIT_TXT_SRP#xのアドレスは、｛TXTDT_MGの先頭アドレス+８+４（ｘ−１）｝によって求めることができる。IT_TXTの場合、上記と同様に最初のIT_TXTの先頭アドレスを求めることができ（TXTDT_MGの先頭アドレス+８+４n）、且つ、IT_TXTのサイズは{IDCD（１バイト）+TXT_SZ（１バイト）+ TXTのサイズ}であるため、例えば、TXTのサイズ（パスワードの桁数）を４と固定した場合の、ｘ番目のIT_TXTのアドレスは、｛IT_TXTの先頭アドレス+６（ｘ−１）｝で求めることができる。IT_TXTのサイズを可変（パスワードの桁数を任意）とした場合であっても、{最初のIT_TXTの先頭アドレス+１}で最初のIT_TXTのTXT_SZのアドレスが分かり、このTXT_SZの内容を見ることによって「最初のIT_TXTのサイズ」を算出することができるため、２番目のIT_TXTの先頭アドレスを求めることができ、同様のことを繰り返すことで、ｘ番目のIT_TXTのアドレスを求めることができる。以上のごとく、IT_TXTのサーチポインタであるIT_TXT_SRPを無効（0000h）としても、タイトルに対応するIT_TXTのアドレスを求めることができ、「タイトルに対応するIT_TXT」に対する処理を行うことができる。これは以下の動作説明中における「タイトルに対応した」においても同様の概念である。
【００３１】
ステップ３０１（図３）における判断が肯定であった（TXTDT_MGがあった）場合には、タイトルに対応するIT_TXT_SRPを参照し（ステップ３０２）、当該サーチポインタが無効とされている（IT_TXT_SRP＝0000h）か否かを判断する（ステップ３０３）。これが有効である場合には、TXTDT_MGが使用され、タイトルへの付加情報（例えば絵文字）が使用されている（IT_TXT領域がすでに使用されおり、このままでは当該領域にパスワードを設定できない）ことを意味するため、ステップ３２０においてこの付加情報を削除（上書き）していいかどうかの判断をユーザに求める画面（図９ａ）を表示し、当該ユーザの判断結果が「不可」であった場合には処理を終了する（ステップ３２１）。ステップ３２１でユーザの許可が得られた場合には、パスワード設定画面（図８ａ）を表示し（ステップ３２２）、バスワードを取得する（ステップ３２３）。続くステップ３２４では、タイトルに対応するIT_TXT_SRPに“0000h”を設定（上書き）し、ステップ３１４・３１５（上述と同様の概念）を経て処理を終了する。
【００３２】
ステップ３０３における判断が肯定であった（サーチポインタが無効）場合には、タイトルに対応するIT_TXTを参照し（ステップ３０４）、当該IT_TXTのTXT_SZが0であった場合（パスワード無しを意味する）には、ステップ３２２へと移行（ステップ３０５）し、以下前述と同様にパスワードの取得・設定を行う。一方ステップ３０５における判断が否定であった場合は、ステップ３０６において、TXTの内容（パスワード）を変数Aに代入して（パスワード比較管理部１９に保持し）、図１０ａに示されるようなパスワード入力画面を表示し（ステップ３０７）、これによって得られたパスワードを変数Ｂに代入し（ステップ３０９）、AとＢとをパスワード比較管理部１９によって比較して（ステップ３１０）これが正しい場合には、図９ｂに示されるようなパスワード変更画面を表示して新しいパスワードを取得し（ステップ３１２・ステップ３１３）、さらにステップ３１４とステップ３１５（上述と同様の概念）を経て処理を終了する。なお、ステップ３１０における判断が否定であった（パスワードが正しくない）場合には、図１０ｂに示されるようなパスワード再入力画面を表示し（ステップ３１１）、ステップ３０８へと移行する。ステップ３０８では、図１０ａ又は図１０ｂに示されるキャンセルボタン１００の入力があった場合（正規のユーザでなくパスワードが分からない場合など）に、処理を終了させる。当該処理（ステップ３０５〜ステップ３１３）は、ステップ３０５における判断が否定であった場合、IT_TXT_SRPが無効であり且つIT_TXT内のTXTに情報があるということであり、本発明に係るパスワードが設定されていると判断することができる（TXT内の情報がタイトルへの付加情報である場合は、必ずIT_TXT_SRPが有効となっているはずだからである）ため、すでにパスワードが設定されているタイトルに対するパスワードの変更であるとみなし、現在のパスワードの入力を求めて、これが正しい場合にのみ新しいパスワードの設定を許可するものである。
【００３３】
以上により、各タイトルに対応するパスワードの設定（新規作成若しくは変更）が、行われ、当該パスワードがＤＶＤ−ＶＲフォーマットのVR_MANGR.IFOファイル内のTXTDT_MGのテーブル内のIT_TXT領域内に（各タイトルに対応付けられ、且つ、タイトルに対する付加情報とは区別しパスワードであることが分かるように）格納される。
【００３４】
次に、図５を参照しつつ、各タイトルに対応するパスワードの読出し・確認の処理について説明する。タイトルに対応するパスワードの読出し・確認は、タイトルの再生やタイトルの編集・削除等の際に、各動作・処理の中で「タイトル別ユーザ資格認可処理」（図５）が起動されて行われる。すなわち、例えば、図１１に示されるようなＤＶＤ２３のタイトルの一覧が表示されている状態で、ユーザが希望のタイトルを選択（図１１中では、パスワードの設定されている「温泉旅行」のタイトルが選択されており、サムネイル表示部１１０にはパスワードが設定されている旨が表示され、サムネイル画像が表示されていない）し、再生ボタン１１１や、編集／消去ボタン１１２を押した際に、「タイトル別ユーザ資格認可処理」（図５）が起動され、当該操作（再生や編集）の許否を行うものである。なお、図１１中のパスワード設定／変更ボタン１１３が押された場合には、選択されているタイトルに対する「タイトル別パスワード設定・変更処理」（図３・図４）が起動される。
【００３５】
タイトル別ユーザ資格認可処理が起動されると、TXTDT_MGテーブルの有無を調べ（ステップ４０１）、TXTDT_MGがある場合にはステップ４０２へ、無い場合にはステップ４１３へと進む。当該TXTDT_MGテーブルの有無の判断は図３におけるステップ３０１と同様の概念である。ステップ４０１の判断が肯定である場合には、ステップ４０２においてタイトルに対応するIT_TXT_SRPを参照し、これが無効であるか否かの判断を行い（ステップ４０３）、有効である場合にはステップ４１３へと進む。無効である場合には、ステップ４０４においてタイトルに対応するIT_TXTを参照し、続くステップ４０５においてTXT_SZが“0”であるか否か（パスワードがあるか否か）の判断を行い、０である場合にはステップ４１３へと進む。ステップ４０５での判断が否定であった場合は、IT_TXT_SRPが無効であり且つIT_TXT内のTXTに情報があるということであり本発明に係るパスワードが設定されていると判断することができる（前述と同様の概念）ため、TXTの情報（パスワード）を変数Ｃに代入し（ステップ４０６）、パスワード入力画面（図１０ａ）を表示して（ステップ４０７）得られたパスワードを変数Ｄに代入し（ステップ４０９）、パスワードが正しい場合（Ｃ＝Ｄ）には、当該「タイトル別ユーザ資格認可処理」を呼び出した他の処理に対して、ユーザが操作資格を有している旨を返して（ステップ４１３）処理を終了する。
【００３６】
ステップ４１０における判断が、否定だった（パスワードが正しくない）場合には、パスワード再入力画面（図１０ｂ）を表示して（ステップ４１１）、ステップ４０８へと移行する。ステップ４０８では、図１０ａ又は図１０ｂに示されるキャンセルボタン１００の入力があった場合に、当該「タイトル別ユーザ資格認可処理」を呼び出した他の処理に対して、ユーザが操作資格を有していない旨を返して（ステップ４１２）処理を終了させる。ステップ４０１・ステップ４０３における判断が否定だった場合及びステップ４０５における判断が肯定であった場合は、本発明に係るパスワードが設定されていないことを意味するため、ステップ４１３でユーザの操作を許可する旨を他の処理に対して返して処理を終了する。以上により、タイトルに対し本発明に係るパスワードが設定されている場合には、正しいパスワードが入力された場合のみ当該タイトルに対する操作を許可し、パスワードが正しくない場合には操作を許可しないようにし、一方、本発明に係るパスワードの設定が無い場合には操作の許可をすることが可能となる。
【００３７】
以上のごとく、本発明によれば、これまでタイトルごとの視聴制限などがされていなかったＤＶＤ−ＶＲフォーマットに対して、タイトルごとの視聴制限（タイトルへのアクセス制限）を行うことができ、且つ、パスワードをVR_MANGR.IFOファイル内のTXTDT_MGのテーブル内のIT_TXT領域内に格納することで、ＤＶＤ−ＶＲフォーマットの規格に反することなく、各タイトルに対応付けて各パスワードを格納することが可能となる。また、パスワードは多数設定することができ、より詳細なレベルで管理することができる（例えば、パスワードを10進数の4桁の数字とした場合には10000件登録でき、10000レベルあることと同等である）ため、８つのレベルしか設定できないビデオフォーマットにおけるタイトルごとにパレンタルレベルを設定する方法に比べ、より詳細に視聴制限等の管理を行うことが可能となる。従って、本発明によれば１枚のディスクの最大タイトル数である９９タイトル（番組）に対して、それぞれ異なったパスワードを設定するということもできる。
【００３８】
さらに、本実施例では、本発明に係るパスワードの設定があった場合には、IT_TXT_SRP領域内のIT_TXTのアドレスを示すポインタ情報を無効としており、IT_TXT_SRP領域内のIT_TXTのアドレスを示すポインタ情報によってIT_TXTの情報にアクセスすることができないため、本発明によって記録された記録媒体（例えばDVD）を、本発明に対応しない機器にて読込んだ場合に、誤作動をおこす事が防止される。また、IT_TXT内の情報が、本発明に係るパスワードであるか否かをIT_TXT_SRPの有効・無効によって判断することができるため、本発明に係るパスワードでない情報がIT_TXT内に格納されている場合にこれを誤ってパスワードであると認識し、誤作動をおこす事が防止される。
【００３９】
加えて、本実施例の「タイトル別ユーザ資格認可処理」を呼び出す処理の選別により、編集操作のみに対する可・不可や、削除操作のみに対する可・不可といった機能も実現できる。すなわち、例えば、削除動作をおこなう処理のみから「タイトル別ユーザ資格認可処理」を呼び出すようにし、他の再生処理や編集処理等からは「タイトル別ユーザ資格認可処理」を呼び出さないような設定とすれば、タイトルに対する再生や編集操作においてはパスワードの要求がなされない（だれでも操作可能となる）が、削除操作をしようとした場合のみに、パスワードの要求がなされ、パスワードを知っているユーザのみがそのタイトルの削除を行うことができるようにすることが可能となるのである。これからも明らかなように、本実施例では、「タイトル別パスワード設定・変更処理」及び「タイトル別ユーザ資格認可処理」をモジュール化しているが、本発明をこれに限るものではなく、再生処理や編集処理等の処理中にそれぞれ埋め込まれているものであってもよい。
【００４０】
なお、本実施例では、「再生装置若しくは記録再生装置又はこれらを備えた電子装置」の具体例としてＤＶＤ内蔵ＬＣＤを用いたが、本発明をこれに限るものではなく、記録媒体としては、ＤＶＤ以外の光ディスク媒体や、ＨＤＤに代表される磁気ディスク媒体、フラッシュメモリなどの半導体素子により構成される記録媒体などをも含むものであり、本発明に係る「再生装置若しくは記録装置若しくは記録再生装置又はこれらを備えた電子装置」は、前記した記録媒体に対する再生装置、記録装置、記録再生装置又はこれらの装置を備える電子装置をいう。
【図面の簡単な説明】
【００４１】
【図１】ＤＶＤ記録再生装置内蔵ＬＣＤの本発明に係る部分のみの概略を示すブロック図
【図２】ＤＶＤ記録再生装置内蔵ＬＣＤの斜視図
【図３】パスワード設定処理の動作の概略を示すフローチャート図
【図４】パスワード設定処理の動作の概略を示すフローチャート図
【図５】パスワードによる認証処理の動作の概略を示すフローチャート図
【図６】ＤＶＤ−ＶＲフォーマットのファイル構造を示す図
【図７】IT_TXTの構造を示す図
【図８】ＤＶＤ記録再生装置内蔵ＬＣＤの表示画面の一例を示す図
【図９】ＤＶＤ記録再生装置内蔵ＬＣＤの表示画面の一例を示す図
【図１０】ＤＶＤ記録再生装置内蔵ＬＣＤの表示画面の一例を示す図
【図１１】ＤＶＤ記録再生装置内蔵ＬＣＤの表示画面の一例を示す図
【符号の説明】
【００４２】
１      ＤＶＤ記録再生装置内蔵ＬＣＤ
１１    ディスクドライブ
１５    制御部
１６    記録制御部
１７    再生制御部
１９    パスワード比較管理部
２３    ＤＶＤ（記録媒体）
【図１】
2006066043.tif 000003
【図２】
2006066043.tif 000004
【図３】
2006066043.tif 000005
【図４】
2006066043.tif 000006
【図５】
2006066043.tif 000007
【図６】
2006066043.tif 000008
【図７】
2006066043.tif 000009
【図８】
2006066043.tif 000010
【図９】
2006066043.tif 000011
【図１０】
2006066043.tif 000012
【図１１】
2006066043.tif 000013